(57)【要約】【課題】  遊技施設の係員が行う球抜き作業の作業性を悪化させることなく、球抜き装置に対する悪戯行為に対する抑止力を高めた球抜き装置を提供する。【解決手段】  遊技盤を保持する前枠２の後方に遊技球の払出処理を行う球払出機構と、前枠の前面側に設けられた球抜き操作孔に操作部材を挿入して球払出機構に貯留された遊技球を球抜き操作し得る球抜き機構とを備えた弾球遊技機において、球抜き機構は、球抜き操作孔に挿入した操作部材を操作孔の延びる方向と直交する面内で回動させることにより回転駆動力を操作連繋部材１２０伝達し、開閉弁部材１１０が通路壁の一部を開閉するように球抜き装置を構成する。【選択図】  図５
2005279030.tif 000002
【特許請求の範囲】
【請求項１】
遊技盤を収容保持する前枠の後方に設けられ遊技球を貯留する球貯留部およびこの球貯留部から供給された遊技球を入賞状態に応じて払い出す球払出装置を有する球貯留払出機構と、
前記球貯留部と前記球払出装置との間を結ぶ球通路に通路壁の一部を開閉可能に設けられた開閉弁部材、前記開閉弁部材を開閉操作する操作部材を遊技機の前面側に設けられた開口部から受容して挿通させる球抜き操作孔、および前記操作部材により前記開閉弁部材が開放位置に切り換えられたときに当該開閉弁部材よりも上流側に位置する遊技球を機体の外部に排出させる球抜き通路を有してなる球抜き機構と
を備えた弾球遊技機において、
前記球抜き機構は、前記球抜き操作孔に挿入した前記操作部材を前記操作孔の延びる方向と直交する面内で回動させることにより回転駆動力を伝達し、前記開閉弁部材が前記通路壁の一部を開閉するように構成したことを特徴とする弾球遊技機の球抜き装置。
【発明の詳細な説明】
【技術分野】
【０００１】
本発明は、球貯留部に貯留された遊技球を遊技機外部に排出させる球抜き装置に関し、なお詳細には、遊技者による不正な球抜き操作を抑制し得る弾球遊技機の球抜き装置に関する。
【背景技術】
【０００２】
遊技盤を収容保持する前枠の後方に、賞球として払い出す遊技球を貯留する球貯留部とこの球貯留部から供給された遊技球を入賞状態に応じて払い出す球払出装置とを有する球貯留払出機構を備えた弾球遊技機の代表例としてパチンコ機がある。パチンコ機では、球貯留払出機構に形成された球通路の清掃や構成部品の保守点検等のメンテナンス作業を行うため、またいわゆる打ち止めと称される定量制を採る場合に払出球数を一定化し、あるいは営業日あたりの各パチンコ機の払出数量を計数するため、球払出貯留機構に貯留された遊技球を機体外部に排出させる球抜き機構が設けられている。球抜き機構は、球貯留部と球払出装置との間を結ぶ球通路の途上に通路壁の一部を開閉する開閉弁部材を設け、この開閉弁部材を開放位置に切り換えたときに開閉弁部材よりも上流側に位置する遊技球が球抜き通路を介して機体の外部に排出されるように構成されている。
【０００３】
ここで、例えば打ち止め時の球抜き作業や、営業終了後に全台数の球抜き作業を行うようなときに、遊技島に閉鎖保持されたパチンコ機を逐一解錠および横開き開放して開閉弁部材を開放位置に切り換える操作を行わなければならないとすれば球抜き作業が繁雑である。またパチンコ機を開放した状態で球抜き作業を行うとすれば、機体から排出された遊技球を受け止める球貯留箱を別途準備する必要があるうえ、球貯留箱に排出された遊技球を遊技島の回収装置に流し込んで回収させる作業も必要になり作業の繁雑を免れない。
【０００４】
このため、球抜き機構は、パチンコ機が閉鎖施錠された状態でも機体の前面側から球抜き操作を行えるように構成されている。すなわち、パチンコ機の前面には閉鎖施錠された機体の前面側から球抜き機構を開閉操作可能な球抜き操作孔が設けられ、この球抜き操作孔にハートキーと称される細長い棒状の操作部材を挿入して押圧操作することで開閉弁部材を開閉し、球抜き作業を行えるように構成されている（例えば、特許文献１を参照）。
【特許文献１】特開２００３−１６４６２８号公報（第９〜１１頁、第１５〜２２図）
【発明の開示】
【発明が解決しようとする課題】
【０００５】
ところが、上記のような球抜き機構を備えたパチンコ機では、機体前面に開口する球抜き操作孔にハートキーに相当する細長い針金等を挿入して押圧すれば、それが遊技者による悪戯であっても球抜き可能になっている。このため、近年ではパチンコ遊技で賞球を獲得できなかった遊技者が、負けた腹いせに球抜き孔に針金を挿入して球抜き操作を行い、パチンコ機を球抜き状態にして遊技施設を退場するという悪戯行為が発生している。
【０００６】
このような悪戯行為が行われると、次にそのパチンコ機で遊技を開始した遊技者がパチンコ遊技で入賞しても、球貯留払出機構に払い出すべき遊技球が無い球切れ状態の発生、または球払出装置よりも上流側からの遊技球の流出によって賞球の払い出しが行われず、当該遊技者に不利益、不快感を与えるという問題があり、特にその入賞状態がいわゆる大当たりであったような場合には、不測の不利益を被った遊技者が遊技施設の係員や周囲の遊技者とトラブルを引き起こすことがあるという問題があった。
【０００７】
また、このように遊技施設が本来予定しない球抜きが行われると、ホールコンピュータで管理している各パチンコ機ごとの遊技球集計値に異常をきたすばかりでなく、パチンコ機からの球切れ信号に応じて遊技球を供給する遊技島側の遊技球自動供給装置が連続して作動状態になり、その連続動作時間によっては駆動モータの過熱等により遊技球自動供給装置や遊技島の関連装置を破損させてしまうおそれがあるという問題もあった。
【０００８】
本発明は上記のような事情に鑑みてなされたものであり、遊技施設の係員が行う球抜き作業の作業性を悪化させることなく、遊技者の悪戯行為に対する抑止力を高めた球抜き装置を提供することを目的とする。
【課題を解決するための手段】
【０００９】
上記目的達成のため、本発明は、遊技盤を収容保持する前枠の後方に設けられ遊技球を貯留する球貯留部およびこの球貯留部から供給された遊技球を入賞状態に応じて払い出す球払出装置を有する球貯留払出機構と、球貯留部と球払出装置との間を結ぶ球通路に通路壁の一部を開閉可能に設けられた開閉弁部材、開閉弁部材を開閉操作する操作部材を遊技機の前面側に設けられた開口部から受容して挿通させる球抜き操作孔、および操作部材により開閉弁部材が開放位置に切り換えられたときに当該開閉弁部材よりも上流側に位置する遊技球を機体の外部に排出させる球抜き通路を有してなる球抜き機構とを備えた弾球遊技機において、上記球抜き機構は、球抜き操作孔に挿入した操作部材を操作孔の延びる方向と直交する面内で回動させることにより回転駆動力を伝達し、開閉弁部材が通路壁の一部を開閉するように構成して球抜き装置を構成する。
【発明の効果】
【００１０】
上記球抜き装置では、パチンコ機を例として前述した従来の球抜き機構と同様に遊技機の前面側に開口する球抜き操作孔が設けられ、この球抜き操作孔に操作部材を挿入して球抜き操作を行う点において従来の弾球遊技機と同様である。しかし本発明の球抜き装置では、球抜き操作孔に挿入した操作部材を操作孔の延びる方向と直交する面内で回動させることで開閉弁部材が通路壁の一部を開閉するように構成されている。このため、遊技者が単に針金等を球抜き操作孔に挿入して押圧操作しても開閉弁部材は開放状態に変移せず、球抜きされることがない。
【００１１】
また操作部材を回動させることにより回転駆動力を伝達して開閉弁部材を開閉させる構成、すなわち回転駆動力を伝達可能な構成であるところ、単純な丸棒状の針金等では回転駆動力を伝達することができないため、遊技者が球抜き操作孔に挿入した針金等を回動しても開閉弁部材は開放状態に変移せず、球抜きされることがない。なお回転駆動力を伝達可能な構成として、例えば＋，−形状のスリ割り形態の受容部と先端がドライバー状の操作部材、六角穴状の受容部と六角レンチ状の操作部材など相互に係脱可能な構成を用いることができる。
【００１２】
一方、遊技施設の係員は、操作部材を球抜き操作孔に挿入して回動することで開閉弁部材を開閉操作することができ、遊技機の閉鎖施錠状態を開放することなく遊技機の前面側から球抜き操作を行うことができる。従って本発明によれば、遊技施設の係員が行う球抜き作業の作業性を悪化させることなく、遊技者の悪戯行為に対する抑止力を高めた球抜き装置を提供できる。
【発明を実施するための最良の形態】
【００１３】
以下、本発明を実施するための形態について、添付図面を参照しながら説明する。本発明に係る球抜き装置を備えた弾球遊技機の一例として、図１および図２にそれぞれパチンコ機の正面図および背面図を示しており、まずこれらの図面を参照してパチンコ機ＰＭの全体構成について要約説明する。なお正面図では球抜き装置の配設位置を明示するためガラス扉５および上球皿６を開放した状態で示している。
【００１４】
パチンコ機ＰＭは、外郭方形枠サイズに構成されて遊技島に固定される固定保持用の外枠１の開口前面に、これに合わせた方形枠サイズに形成された開閉搭載用の前枠２が互いの正面左側上下に設けられたヒンジ機構３ａ，３ｂにより横開き開閉および着脱が可能に取り付けられ、正面右側に設けられたダブル錠と称される施錠装置４を利用して常には外枠１と係合された閉鎖状態に保持される。
【００１５】
前枠２の前面側には、前枠２の前側面域に合わせた方形状のガラス扉５および上球皿６が正面左側部に設けられたヒンジ機構７ａ，７ｂ，７ｃによりそれぞれ横開き開閉および着脱が可能に組付けられ、正面右側に設けられた施錠装置４および球皿施錠装置を利用して常には前枠２の前面を覆う閉止状態に施錠保持される。上球皿６の下側には下球皿８および発射ハンドル９が取り付けられ、前枠２の裏面側には遊技球発射装置１０が装備されている。
【００１６】
ガラス扉５の背後に位置する前枠２の上部には、遊技盤の外形寸法に合わせた額縁状の収容枠２ａが前枠２に一体に形成されており、この収容枠２ａに所定のゲージ設定で構成された遊技盤２０が着脱可能にセット保持され、前方を覆って閉鎖保持されるガラス扉５の透明ガラスを通して遊技領域ＰＡを視認可能に配設される。また前枠２の上部には遊技盤２０を囲むように複数の表示ランプ１６が設けられており、ガラス扉５の枠部に設けられたランプ飾りを透過させて光による演出が可能になっている。
【００１７】
遊技盤２０は所定板厚の積層合板にセルを貼り付けた化粧板２１を基板とし、その前面側に内外の案内レール２２に囲まれて略円形の遊技領域ＰＡが区画形成され、この遊技領域ＰＡに多数本の遊技釘とともに、風車、各種の入賞具２３、画像表示装置２４などが取り付けられ、遊技領域ＰＡの下端には入賞具２３に落入せずにこの領域を落下した遊技球を化粧板２１の背面側に排出させるアウト口２５が形成されている。遊技盤２０の前面側には遊技の展開状況に応じて効果照明を行う各種の表示ランプ２６が設けられ、裏面側には各入賞具２３に落入して化粧板２１の裏面側に導出された遊技球およびアウト口２５を通って化粧板２１の裏面側に排出された遊技球（これらをまとめて「遊技済み球」という。）を次述する裏セット盤３０の遊技済み球排出通路に導く球寄せカバー２９が取り付けられている。
【００１８】
上球皿６の背後に位置する前枠２の上下中間部には、遊技補助盤と称される補助機構部が形成されており、遊技球発射装置１０のハンマに叩打された遊技球を遊技盤２０の案内レールに導く発射レール１１、遊技領域ＰＡに到達できずに戻ってきたファール球を回収して下球皿８に流下させるファール球回収通路１２、遊技の展開状況に応じた効果音を発生するスピーカ１３などが設けられている。
【００１９】
一方、前枠２の後面側には、裏セット盤３０が後方に横開き開閉および着脱可能に取り付けられ、常には遊技盤２０の背面を覆う閉止状態に保持される。裏セット盤３０は、中央部に遊技盤２０の画像制御装置を受容する窓口３２を有して外枠１の内寸サイズよりも幾分小さめに形成された基枠体３１をベースとして構成される。基枠体３１は、表裏に球通路が形成された前後二層構造になっており、基枠体３１を前後に仕切る支持面３１ａ（図３を参照）の前面側に主として遊技盤２０から排出された遊技済み球を遊技島の回収装置に導く遊技済み球排出通路および球抜き通路が形成され、支持面３１ａの後面側に主として遊技球を払い出す球貯留払出機構４０が設けられている。
【００２０】
球貯留払出機構４０は、基枠体３１の左上部に取り付けられて遊技島の遊技球自動供給装置から供給された遊技球を貯留保持する球貯留タンク４１、球貯留タンク４１の下側に右傾する傾斜姿勢で取り付けられ球貯留タンク４１から供給された遊技球を流下させる過程で前後２列に整列させる整列樋部材４２、整列樋部材４２と球払出装置４５との間を結んで基枠体の右枠杆（背面視における窓口３２右側の枠杆部）３３に設けられ整列樋部材４２から供給された遊技球を前後２列の整列状態で待機通路に待機させる待機通路部材４４、待機通路に待機された遊技球を入賞状態等に応じて払い出す球払出装置４５、球払出装置４５の下方に設けられて球払出装置から払い出された遊技球を上下の球皿６，８に導く球払出通路４６、待機通路部材４４の後方を覆う蓋部材４９などから構成される。
【００２１】
また基枠体３１の背面各部には、パチンコ機ＰＭの作動を統括的に制御する主制御装置８１、遊技盤２０からの入賞検出信号やＣＲ機における球貸し操作パネルからの球貸し要求信号に基づいてこれらの信号に応じた払出指令信号を出力し球払出装置４５の作動を制御する球払出制御装置８２、遊技の展開状況に応じて前枠２に設けられた表示ランプ１６やスピーカ１３および遊技盤２０に設けられた表示ランプ２６等の作動を制御するランプ・音声制御装置８３、各制御装置や電子部品に電力を供給する電源ユニット８４、遊技施設側の装置と信号や電力の入出力を行う外部中継端子基板８５などの各種制御装置や回路基板、球切れ検出スイッチ等の電子部品が取り付けられ、これらが図示しないコネクタケーブルで接続されてパチンコ機ＰＭが作動可能に構成される。
【００２２】
パチンコ機ＰＭは、上球皿６およびガラス扉５が閉止され施錠保持された状態で遊技に供され、上球皿６に遊技球を貯留させて発射ハンドル９を回動操作することにより遊技が開始される。発射ハンドル９が回動操作されると、上球皿６に貯留された遊技球が上球皿６の背面に装備された球送り装置によって１球ずつ発射レール１１に送り出され、遊技球発射装置１０により遊技領域ＰＡに打ち出されてパチンコゲームが展開される。
【００２３】
このように概要構成されるパチンコ機ＰＭにあって、裏セット盤３０における右枠杆３３の上部に開閉弁部材１１０、操作連繋部材１２０、球抜き操作孔１３０、球抜き通路１４０などからなる球抜き機構１０１が設けられ、ガラス扉５の背後に位置する前枠２の前面側に遮蔽部材１５０を主体とする遮蔽機構１０５が設けられて、球貯留払出機構４０に貯留された遊技球をパチンコ機ＰＭの正面から球抜き操作可能な球抜き装置１００が構成される。
【００２４】
以下では、まず図３〜図６を参照して右枠杆３３に設けられた球抜き機構１０１について説明し、続いて図７〜図１０の各図を参照しながら遮蔽機構１０５を含む球抜き装置１００について説明する。なお、図３は待機通路部材４４の後方を覆う蓋部材４９を取り外した状態で右枠杆３３の上部を斜め後方から見た斜視図、図４は閉止位置にある球抜き機構を主として示す右枠杆３３の背面図、図５は開放位置にある球抜き機構を主として示す右枠杆３３の背面図、図６は図４中のVI−VI矢視方向の側面図（部分断面図）である。
【００２５】
球抜き機構１０１は、待機通路部材４４と隣接する支持面３１ａの後面側に支持面と平行な面内に揺動可能に枢支され待機通路の通路壁の一部を開閉可能な開閉弁部材１１０と、右枠杆３３の側部に回動可能に取り付けられ操作部材による開閉操作を連繋する操作連繋部材１２０と、操作連繋部材１２０を介して開閉弁部材１１０を開閉操作する操作部材をパチンコ機の前面側に設けられた開口部から受容して挿通させる球抜き操作孔１３０（１３１，１３２）と、開閉弁部材１１０が開放位置に切り換えられたときに開閉弁部材よりも上流側に位置する遊技球を流下させ基枠体の下端に形成された球排出口から機体外部に排出させる球抜き通路１４０などから構成される。
【００２６】
待機通路部材４４は、前後を仕切る仕切壁の前後両面に遊技球の球径よりも幾分大きめの間隔をおいて左右平行に立設された通路壁４４Ｌ，４４Ｒを有し、それぞれ通路壁４４Ｌ，４４Ｒで囲まれた各一列の通路溝が形成されている。このうち背面視右側の通路壁４４Ｒは上方の一部が切り欠かれており、常には閉止位置にある開閉弁部材１１０の揺動通路壁１１０Ｒにより閉鎖されて連続した通路溝が形成される。待機通路部材４４は通路溝の清掃容易化等のため基枠体３１と別体に形成されており、支持面３１ａに立設された支持ボス３４に嵌挿して支持させ、後方から蓋部材４９をねじ固定することにより右枠杆３３に取り付けられる。
【００２７】
待機通路部材４４が右枠杆３３に取り付けられると、通路溝の開放部が前方の支持面３１ａと後方の蓋部材４９とに覆われて仕切壁の前後に各一列の待機通路４４ａ，４４ｂが形成される（図３〜図５では後列側の待機通路４４ｂのみが現れている）。待機通路４４ａ，４４ｂは全体としてＳ字状に屈曲して形成されるとともに、切り欠き部は球圧が作用する屈曲部の外側壁面に形成されており、上流側に停留された遊技球の自重による押圧力が下流側で過大な圧力にならないように分散させるとともに、切り欠き部が開放されたときに遊技球が滑らかに流出するようになっている。
【００２８】
開閉弁部材１１０は、本体の上下中間部に形成された円筒状の支軸孔１１２、支軸孔１１２の下側に位置して通路壁４４Ｒの切り欠き部に相当する壁面が形成された揺動通路壁１１０Ｒ、支軸孔１１２の斜め上方に本体部から右方に突出して形成されたアーム部１１３などから構成される。アーム部１１３の上面には、次述する操作連繋部材１２０におけるカム部１２３ｂの先端部と係脱可能な係止突起部１１３ｂが形成され、この係止突起部１１３ｂの左右がアーム部上面からスリット状に切り離されて上下に弾性変形可能に形成されている。係止突起部１１３ｂは背面視において台形状に形成されており、カム部１２３ｂの先端と滑らかに係合する一方、開閉弁部材１１０の閉止位置においてはカム部１２３ｂの先端と係合して相互にロック保持可能になっている。開閉弁部材１１０は、支軸孔１１２を右枠杆の支持面３１ａに立設された枢支軸３５に嵌挿することで支持面３１ａと平行な面内で揺動可能に支持され、その後方から蓋部材４９をねじ固定することにより、上述した待機通路部材４４とともに右枠杆３３に取り付けられる。
【００２９】
操作連繋部材１２０は、小型のピン状の回動伝達軸１２２と、回動伝達軸１２２に連結固定されるカム部材１２３とからなる。回動伝達軸１２２は、細い軸状の回動軸部１２２ａと、この回動軸部の前端に形成された頭部１２２ｂとからなり、回動軸部１２２ａの後端部は外周面が一部平坦に面取りされて断面視Ｄ字状に形成され（図５および図１１を参照）、頭部１２２ｂには操作部材の前端部を受容して係合する受容係合穴１２２ｓが形成されている。本実施例では操作部材として先端に対面幅３〜４mm程度の六角レンチ部を有するハートキー１８０（図６を参照）を用い、この六角レンチ部を受容係合する六角穴形態の受容係合穴１２２ｓを形成した例を示す。
【００３０】
カム部材１２３は、回動軸部１２２ａの後端に連結固定されるボス部１２３ａおよびボス部１２３ａからラジアル方向に突出するカム部１２３ｂを主体として構成され、ボス部１２３ａには回動軸部１２２ａの後端形状と同一形状でわずかに小さめの寸法に形成された軸受容穴が形成されている。カム部１２３ｂは、ボス部１２３ａから滑らかな円弧を描いてラジアル方向に突出成型され、その先端の前面側にはガイドピン１２３ｃが前方に突出成型されている。
【００３１】
右枠杆３３の側面には、回動伝達軸の回動軸部１２２ａをその軸廻りに回動自在に支持する円筒状の軸受部３６ａ、および頭部１２２ｂを受容する受容切り欠き部３６ｂが形成され、一部膨出された右枠杆３３の補助支持面３１ｂには、ガイドピン１２３ｃの揺動軌跡および揺動角度範囲に合わせた円弧状のガイド溝３６ｃが形成されている。軸受部３６ａは、前後方向に延びる軸線が、裏セット盤３０を前枠２に閉鎖保持させたときの前枠側の球抜き操作孔１３２の軸線と位置整合して同一軸上に配設されるように形成されている。
【００３２】
操作連繋部材１２０は、カム部材のガイドピン１２３ｃをガイド溝３６ｃに係合させるとともに、回動伝達軸１２２の回動軸部１２２ａを軸受部３６ａの前方から挿通して支持させ、軸受部３６ａから後方に突出した回動軸部１２２ａの軸端にカム部材１２３の軸受容穴を係合させて圧入することで、回動軸部１２２ａの軸廻りに回動可能に取り付けられる。これにより、回動伝達軸１２２を時計廻りまたは反時計廻りに回動することで、ガイドピン１２３ｃが係合するガイド溝３６ｃの形成角度範囲内で、カム部材１２３が上下に揺動変移可能に配設される。
【００３３】
ここで、ガイド溝３６ｃの下端位置、より具体的には、カム部材のガイドピン１２３ｃがガイド溝３６ｃの下端に係合したときのカム部１２３ｂの配設位置は、枢支軸３５に支持された開閉弁部材１１０を、揺動通路壁１１０Ｒが待機通路部材４４の切り欠き部を塞ぐ閉止位置に配設したときの、アーム部１１３の上面に形成された係止突起部１１３ｂの配設位置と整合して形成されており、操作連繋部材１２０を背面視における反時計廻りに回動させたときに、下方に揺動するカム部１２３ｂがアーム部１１３の上面を押圧して開閉弁部材１１０を閉止方向に揺動させ、閉止位置近傍ではカム部１２３ｂの先端部が係止突起部１１３ｂを下方に押圧して弾性変形させながら係止突起部の導入側の斜面および上面を乗り越えるように右斜め下方に移動し、ガイドピン１２３ｃがガイド溝３６ｃの下端に到達する角度位置で係止突起部を乗り越えて係止側の斜面と係合し、相互に自由な揺動（回動）を規制して互いをロック保持するようになっている。
【００３４】
球抜き操作孔１３０（１３１，１３２）は、ガラス扉５および裏セット盤３０を前枠２に閉止させた状態で操作連繋部材１２０における回動伝達軸の頭部１２２ｂと対峙する前方の整合位置に、ガラス扉５および前枠２を前後に貫通して形成されており、後述する遮蔽部材１５０を連通位置に配設したときに、ガラス扉側の球抜き操作孔１３１と前枠側の球抜き操作孔１３２とが連通状態になって一連の球抜き操作孔１３０を形成し、ハートキー１８０を挿通可能になっている（図７を併せて参照）。このため、遊技状態でパチンコ機ＰＭの前面側から球抜き操作孔１３０にハートキー１８０を挿入して先端の六角レンチ部を受容係合穴１２２ｓに係合させ、回動操作できるようになっている。
【００３５】
また球抜き通路１４０は、待機通路部材４４の右側方に位置して支持面３１ａの後面側に形成された予備通路１４０ａ、予備通路の下部に支持面３１ａを前後に貫通して形成された連絡開口１４０ｂ、および支持面３１ａの前面側に下方に延びて形成された下降通路などからなり、下降通路の下端部が遊技盤２０から排出された遊技済み球を集合させる遊技済み球排出通路に合流して、基枠体３１の下端に形成された球排出口に繋がっている。
【００３６】
このような球抜き機構１０１では、通常の遊技状態、すなわち前枠２やガラス扉５、裏セット盤３０等が閉止保持され、操作連繋部材１２０のカム部１２３ｂが開閉弁部材の係止突起部１１３ｂと係合して相互にロック保持された状態において、揺動通路壁１１０Ｒが待機通路部材４４の切り欠き部を塞いで待機通路４４ａ，４４ｂの通路壁を構成し、整列樋部材４２から供給された遊技球が待機通路４４ａ，４４ｂを通って球払出装置４５に導かれる。開閉弁部材１１０はカム部との係合によりアーム部１１３が押さえられて自由な揺動が規制され、待機通路部材４４の切り欠き部を塞ぐ閉止位置に係止保持される。
【００３７】
一方、ハートキー１８０により操作連繋部材１２０が背面視時計廻りに回動されると、カム部１２３ｂの先端部が係止突起部１１３ｂを下方に押圧して弾性変形させながら係止突起部の係止側の斜面および上面を乗り越えるように左斜め上方に移動し、やがて係止突起部１１３ｂと離れてアーム部１１３との係合が解除され、それまで規制されていた開閉弁部材１１０の揺動規制が解除される。待機通路４４ａ，４４ｂに遊技球が貯留された状態では、揺動通路壁１１０Ｒは待機通路４４ａ，４４ｂ内に保持された遊技球の圧力を受けており、揺動規制が解除されるとこの圧力によって開閉弁部材１１０が枢支軸３５を中心として反時計まわりに揺動され、揺動通路壁１１０Ｒが待機通路部材４４の切り欠き部を開放する開放位置に変位する。
【００３８】
そして、このように一旦開閉弁部材１１０が開放位置に変位すると、切り欠き部から次々に溢れ出る遊技球に押圧されて揺動通路壁１１０Ｒが揺動変位した状態が継続され、通過する遊技球がなくなるまで開放状態が保持される（図５を参照）。なお、捻りバネや引っ張りバネ等の付勢手段により開閉弁部材１１０または操作連繋部材１２０を開放位置方向に緩く付勢し、係止突起部とカム部との係合によるロック保持が解除されたときに開閉弁部材１１０または操作連繋部材１２０を開放位置に保持させるように構成してもよい。
【００３９】
このため、例えば球貯留タンク４１に貯留する遊技球を全量球抜きするような場合には、ガラス扉５の前面側からハートキー１８０を球抜き操作孔１３０に挿入して先端の六角レンチ部を回動伝達軸１２２の受容係合穴１２２ｓに嵌合させ、ハートキー１８０を軸直交面内に回動（正面視においては反時計廻りに回動）することで、開閉弁部材１１０を閉止位置から開放位置に切り替えて開閉弁部材１１０よりも上流側に貯留された遊技球を球抜き通路１４０に導き、継続して球抜きを行わせることができる。
【００４０】
また、球抜きが完了し、待機通路の上部に遊技球がなくなると、開閉弁部材１１０はその重心位置に対する支軸孔１１２の配設位置の関係により自重で枢支軸３５廻りに揺動し、揺動通路壁１１０Ｒが待機通路部材４４の切り欠き部を塞ぐ閉止位置に変位する。そこで球抜き操作と反対方向にハートキーを回動しカム部材１２３を背面視における反時計廻りに回動させると、下方に揺動するカム部１２３ｂの先端部が係止突起部１１３ｂを下方に押圧して弾性変形させながら係止突起部の導入側の斜面および上面を滑り、ガイドピン１２３ｃとガイド溝３６ｃとの下端係合位置で係止突起部の係止側の斜面と係合して、開閉弁部材１１０を閉止位置にロック保持する。これにより待機通路部材４４の切り欠き部が揺動通路壁１１０Ｒにより閉止保持され、待機通路４４ａ，４４ｂに流入した遊技球が球払出装置４５に導かれる通常の遊技状態に復帰する。
【００４１】
このように、球抜き機構１０１では、球抜き操作孔１３０に挿入したハートキー１８０の先端部を操作連繋部材１２０の受容係合穴に嵌合させ、この状態でハートキー１８０を軸直交面内に回動操作したときに、開閉弁部材１１０が開放位置に切り替えられ球抜きされるように構成している。このため、たとえ遊技者が次述する遮蔽部材１５０を連通位置に変移させて針金等を球抜き操作孔に挿入したとしても、押圧操作では操作連繋部材１２０が回動することがなく、また針金等を軸直交面内に回動しても操作連繋部材１２０を回動させることができないため、いずれにしても開閉弁部材１１０を開放位置に変移させることができず、球抜きされることがない。
【００４２】
一方、遊技施設の係員は、ハートキー１８０を球抜き操作孔に挿入して回動することで開閉弁部材１１０を開閉させることができ、パチンコ機ＰＭを閉鎖施錠状態のまま機体の前面側から球抜き操作を行うことができる。従って以上説明したような球抜き機構１０１によれば、簡明且つコンパクトな機構構成で、遊技施設の係員が行う球抜き作業の作業性を悪化させることなく、遊技者の悪戯行為に対する抑止力を高めた球抜き装置を提供することができる。
【００４３】
さて、以上のように構成される球抜き機構１０１に対して、ガラス扉５の背後に位置する前枠２の前面側に遮蔽機構１０５が設けられている。以下、図７〜図１０の各図を参照しながら遮蔽機構１０５について説明する。なお、図７は前枠２の左上部を斜め前方から見た遮蔽機構１０５の分解斜視図、図８はガラス扉５を開放した状態で連通位置にある遮蔽機構１０５を主として示す正面図、図９は図８中のIX−IX矢視方向の平断面図、図１０は遮蔽機構１０５に設けられた位置検出構造１７０を主として示す平断面図である。
【００４４】
遮蔽機構１０５は、ガラス扉５の背後に位置する前枠２の前面側に上下にスライド変位可能に取り付けられた遮蔽部材１５０と、この遮蔽部材１５０を常時上方に付勢する付勢バネ１６０とを主体とし、併せて遮蔽部材１５０の位置を検出する位置検出構造１７０が設けられて構成される。
【００４５】
遮蔽部材１５０は、上下に延びる平断面視Ｌ字状の昇降杆１５１と、この昇降杆１５１に形成された上下のガイド孔１５２，１５２、昇降杆１５１の下部に形成されたピン挿通開口１５３、上下のガイド孔の間に前方に切り起こし成型された掛止フック１５４、昇降杆１５１の上端に前方に屈曲成形された押圧操作部１５５、昇降杆から右側方に延出されるとともに前方にクランク状に屈曲成形されたアーム支持部１５６などからなり、例えば板厚1.0〜1.6mm程度の鋼板を打ち抜きおよび曲げ成形し所要の表面処理を施して形成される。
【００４６】
上下のガイド孔１５２は、前枠２の前面側に形成されたガイド突起２ｂの直径よりもわずかに大きめの溝幅で上下に長い長孔状に形成されており、その上下方向の寸法は、前後の球抜き操作孔１３１，１３２をピン挿通開口１５３により連通、および遮断状態に切り替え得る所定のストローク、具体的にはハートキー１８０の対角の寸法よりも幾分大きく設定されている。すなわち上下のガイド孔１５２は、これらのガイド孔をガイド突起２ｂに係合させて取り付けたときに、遮蔽部材１５０を上下方向にのみスライド変位するようガイドし、また上記所定のスライド範囲を超えて移動しないように規制する機能を備えている。ガイド突起２ｂの中心にはネジ１６２を螺着するネジ穴が形成されている。
【００４７】
ピン挿通開口１５３は、ハートキー１８０を挿通させるための開口であり、ガイド孔１５２をガイド突起２ｂに係合させて遮蔽部材１５０を下方にスライドさせたときに下端位置でピン挿通開口１５３が球抜き操作孔１３２の前方に位置して前後の球抜き操作孔１３１，１３２を連通状態とする一方、この連通位置から遮蔽部材１５０を上方にスライドさせたときには、ピン挿通開口１５３が上方に変位して昇降杆１５１のプレート部が球抜き操作孔１３２を遮蔽し、前後の球抜き操作孔１３１，１３２を遮断状態にするように、位置および開口寸法が形成されている。
【００４８】
付勢バネ１６０は、コイルスプリングの両端に目玉状のフック部が形成された引っ張りバネであり、所定の初期張力を保持して張り渡されるように設定されている。また掛止フック１５４は付勢バネ１６０のフック部を掛止し得るように前方に切り起こし成型されている。なお圧縮型のコイルスプリングや捻りバネ、板バネ等を用いて昇降杆１５１を付勢するように構成してもよく、またリンク機構等を介して昇降杆１５１を付勢するように構成してもよい。
【００４９】
そして、上下のガイド孔１５２，１５２をガイド突起２ｂ，２ｂに係合させて遮蔽部材１５０を支持させ、上下のネジ１６２に平座金を挿通させるとともに上方のネジに付勢バネ１６０の一方のフック部を挿通させて各ガイド突起２ｂのネジ孔に螺合締結し、付勢バネ１６０の他方のフック部を掛止フック１５４に掛け止めることで遮蔽部材１５０が前枠２の前面側に取り付けられる。これにより遮蔽部材１５０は、ピン挿通開口１５３が球抜き操作孔１３２の前方に位置してハートキー１８０を挿通させる連通位置と、ピン挿通孔１５３が球抜き操作孔１３２の上方に位置して昇降杆１５１のプレート部が球抜き操作孔１３２の前方を遮蔽する遮蔽位置との間で上下にスライド変位可能に支持され、常には付勢バネ１６０のバネ力により上方に付勢されて球抜き操作孔１３２を塞ぐ遮蔽位置に配設される。
【００５０】
また遮蔽部材１５０におけるアーム支持部１５６には、舌片状のレバーアーム１５７が上下に揺動可能に枢結され、アーム支持部１５６の後面側に設けられた捻りバネ１５８によって常時下向き（正面視において時計廻り）に付勢されている。また押圧操作部１５５はヒンジ金具３ａの前方に位置してガラス扉５に切り欠き形成された操作開口部に受容されるようになっており、ガラス扉５を閉鎖施錠した状態でパチンコ機ＰＭの前面側上方から押圧操作可能になっている。
【００５１】
一方、アーム支持部１５６の後方に位置する前枠２の前面上部には位置検出構造１７０が設けられている。位置検出構造１７０は、レバーアーム１５７の先端部の揺動軌跡上に位置してレバーアーム１５７の揺動角度位置を検出する位置検出センサ１７１と、この位置検出センサ１７１と隣接してレバーアーム１５７の下端面と係合可能に突出成形されたアーム係合突起１７２とから構成される。
【００５２】
位置検出センサ１７１は、この検出センサの前方にレバーアーム１５７が位置するか否かを検出すことでレバーアーム１５７を介して遮蔽部材１５０の高さ位置を検出する検出器であり、例えば図示するリミットスイッチ形態の検出器の他、近接スイッチやフォトインタラプタ等の検出器を用いることができる。位置検出センサ１７１の検出信号は主制御装置８１に入力されている。
【００５３】
アーム係合突起１７２は、捻りバネ１５８により常時時計廻りに付勢されたレバーアーム１５７の下端面と係合してレバーアーム１５７を下側から支え、遮蔽部材１５０の高さ位置に応じた揺動角度位置にレバーアーム１５７を支持する。アーム係合突起１７２の高さ位置は、遮蔽部材１５０が球抜き操作孔１３２を遮蔽する遮蔽位置において、レバーアーム１５７の先端部が位置検出センサ１７１の直前に位置するように設定される。このため、位置検出センサ１７１はレバーアーム１５７を検出することで、このレバーアームを介して遮蔽部材１５０が遮蔽位置にあることを検出し、その検出信号（例えばON信号）を主制御装置８１に出力する。
【００５４】
一方、押圧操作部１５５が押圧され付勢バネ１６０のバネ力に抗して昇降杆１５１が下方にスライドされると、レバーアーム１５７の揺動支点が昇降杆１５１とともに下動し、下端面をアーム係合突起１７２に支持されたレバーアーム１５７はアーム係合突起１７２の外面を滑りながら変位してレバーアーム１５７が反時計廻りに揺動変位する。そしてピン挿通開口１５３が球抜き操作孔１３２の前方に位置する連通位置まで移動されると、レバーアーム１５７の先端部が位置検出センサ１７１の検出領域から外れ、位置検出センサ１７１は遮蔽部材１５０が連通位置に切り替えられたことを検出して、その検出信号（例えばOFF信号）を主制御装置８１に出力する。
【００５５】
ここで、アーム係合突起１７２の左右方向の位置は、レバーアーム１５７の揺動支点と位置検出センサ１７１の検出点との間における中央よりも揺動支点側に形成されており、揺動支点が下動したときに、てこの原理によりレバーアーム１５７の先端部が揺動支点の移動量よりも大きな変位量で上方に移動するように構成されている。この拡大率は昇降杆１５１のスライド変位量と位置検出センサ１７１が検知可能な変位量との関係に基づいて設定される。このように、昇降杆１５１のわずかなスライド変位をレバーアーム１５７で大きな揺動角度変位に拡大することで、微少変位を検出する高価な検出センサや高精度の加工部品を用いることなく低廉な構成で昇降杆１５１の高さ位置を確実に検出し、遮蔽部材１５０が連通位置にあるか遮蔽位置にあるかを正確に検出することができる。
【００５６】
位置検出センサ１７１の検出信号は主制御装置８１に入力されており、主制御装置８１は入力された検出信号が連通位置を表す信号（例えばOFF信号）であるときに警報作動を行う。例えば、前枠２に設けられた表示ランプ１６や遊技盤２０に設けられた表示ランプ２６のうち何れかを点灯または点滅作動させ、あるいはスピーカ１３から所定の警報音を発生させ、または外部中継端子基板８５を介して遊技島の報知ランプやホールコンピュータの表示装置に警報を表示させ、若しくはホールコンピュータを介して遊技施設の係員が携帯するインカムに警報信号を送信して通報するような警報作動を行う。
【００５７】
さて、以上説明した球抜き機構１０１および遮蔽機構１０５を備えた球抜き装置１００では、遊技提供状態において遮蔽機構１０５がガラス扉５と前枠２の間に配設され、遮蔽部材１５０が前後の球抜き操作孔１３１，１３２の間で両操作孔を遮断する遮蔽位置に配設される。さらにガラス扉側の球抜き操作孔１３１は円筒部が後方に突出して形成され、ガラス扉５の閉鎖姿勢で昇降杆１５１の直前に殆ど隙間なく配設されるようになっている。
【００５８】
このため、不正行為を行おうとする者がガラス扉前面の開口部から球抜き操作孔１３１に針金等を差し込んでも、針金の先端部が遮蔽部材の昇降杆１５１に突き当たってそれ以上針金を機体内部に侵入させることができず、前枠２の後方に位置する球抜き機構１０１はもとより、球抜き操作孔の右側方に位置する遊技盤２０に対しても悪戯行為を行うことができない。また遮蔽部材１５０を前枠２の後面側に設けた場合には、押圧操作部１５５を前枠２の前面側に導出するための導出部を形成する必要があるが、本構成ではこのように前枠２を前後に挿通する導出部を形成する必要が無いため、導出部の形成による新たな不正行為を引き起こすおそれがない。
【００５９】
一方、遊技機正面の左上部に位置する押圧操作部１５５を付勢バネ１６０のバネ力に抗して下方に押圧して昇降杆１５１を連通位置まで下動させると、ピン挿通開口１５３が前後の球抜き操作孔１３１，１３２の間に配設され、両操作孔が連通状態になる（図９中に付記する部分拡大図を参照）。従って遊技施設の係員は、このように遮蔽部材１５０を連通位置にスライド変位させた状態で球抜き操作孔１３０（１３１，１３２）にハートキー１８０を挿通させることができ、球抜き操作孔１３２の後方に位置整合して配設された操作連繋部材１２０の受容係合穴１２２ｓに六角レンチ部を嵌合させ、ハートキー１８０を回動操作することで球抜き操作を行うことができる。すなわち、遊技施設の係員は球抜き操作を行うにあたって、逐一ガラス扉５や前枠２の閉鎖施錠状態を解除する必要がなく、パチンコ機ＰＭの前面側から球抜き操作を行うことができる。
【００６０】
このような球抜き操作は、パチンコ機ＰＭの前方に立って両手で操作を行う必要があり、周囲の遊技者の視線や防犯用の監視カメラの存在を気にしながら悪戯行為を行う不正行為者に大きな抵抗感を生じさせる。さらに、遮蔽部材１５０が連通位置に配設されると位置検出センサ１７１によりその状態、すなわち球抜き操作され得る状態になったことが検出され、主制御装置８１により前述したような所定の警報作動が行われる。このため、遊技施設の係員や管理者は、当該パチンコ機ＰＭが球抜き操作され得る状態になったことを早期に検知することができ、状況に応じて迅速かつ適切な対応をとることができる。
【００６１】
従って、以上説明したような球抜き装置１００によれば、遊技者の悪戯行為に対する抑止力を高めるとともに、悪戯行為を早期に検知して迅速な対応が可能な球抜き装置を提供することができる。
【００６２】
次に、球抜き機構の他の構成例を図１１に示しており、図１１を参照してこの球抜き機構２０１について説明する。なお球抜き機構２０１は操作連繋部材２２０の配設位置、および操作連繋部材２２０の回動角度範囲の規制形態を除き、他の基本構成は上述した球抜き機構１０１と同様である。そこで以下では相違する操作連繋部材２２０を中心に簡潔に説明し、球抜き機構１０１と同様部分に同一番号を付して重複説明を省略する。
【００６３】
操作連繋部材２２０は、前述同様の回動軸部１２２ａおよび頭部１２２ｂを有する回動伝達軸１２２と、回動伝達軸１２２に連結固定されるカム部材２２３とから構成される。カム部材２２３は、回動軸部１２２ａの後端に連結固定されるボス部２２３ａおよびボス部２２３ａからラジアル方向に突出するカム部２２３ｂを主体として構成され、ボス部２２３ａには軸部１２２ａの後端形状と同一形状でわずかに小さめの寸法に形成された軸受容穴が形成されている。カム部２２３ｂは、ボス部２２３ａから滑らかな円弧を描いてラジアル方向に突出成型され、その先端の前面側には半球状の保持突起２２３ｃが前方に突出して成型されている。
【００６４】
右枠杆３３には、回動伝達軸の回動軸部１２２ａを回動自在に支持する円筒状の軸受ボスが補助支持面３１ｂから前方に突出して形成され、補助支持面３１ｂの後面側には、カム部２２３ｂの側面と係合してカム部材２２３の揺動角度範囲を規定する規制突起部３７ａ，３７ｂが形成され、およびカム部２２３ｂが規制突起部と係合した上方の係合位置と下方の係合位置にそれぞれ対応して保持突起２２３ｃを受容し係合する円孔状の保持孔３８ａ，３８ｂが形成されている（図では上方の保持孔３８ａのみが現れている）。なお開閉弁部材１１０′の閉止位置では、カム部２２３ｂの先端とアーム部１１３の上面に形成された係止突起部１１３ｂ′との係合によるロック保持作用があるため、下方の保持孔３８ｂを設けない構成としてもよい。軸受ボスの前方には、前枠２を貫通する球抜き操作孔１３２およびガラス扉５を貫通する球抜き操作孔１３１が同一軸上に位置整合して形成されている。なお開閉弁部材１１０′は、面板の形成位置、係止突起部１１３ｂ′の形成位置および突起形状が円弧状である等について異なる以外は、前述した開閉弁部材１１０と同様である。
【００６５】
操作連繋部材２２０は、回動伝達軸の回動軸部１２２ａを軸受ボスの前方から挿通して支持させ、補助支持面３１ｂの後面側に突出した回動軸部１２２ａの軸端にカム部材２２３の軸受容穴を係合させて圧入することで、回動軸部１２２ａの軸廻りに回動可能に取り付けられ、回動伝達軸１２２を時計廻りまたは反時計廻りに回動することで、規制突起部３７ａ，３７ｂにより回動が規制される角度範囲内で、カム部材２２３が上下に揺動変移可能に配設される。また上下の角度規制位置では保持突起２２３ｃと保持孔３８ａ，３８ｂとの係合によりクリック感を伴ってカム部材２２３が当該角度位置に係止保持される。
【００６６】
背面視右側の規制突起部３７ｂの形成位置、より具体的にはカム部２２３ｂを規制突起３７ｂに当接させたときのカム部２２３ｂの先端部の配設位置は、閉止位置に設定した開閉弁部材１１０′の係止突起部１１３ｂ′の配設位置と整合して形成されており、操作連繋部材２２０を背面視における反時計廻りに回動させたときに、下方に揺動するカム部２２３ｂの先端部が係止突起部１１３ｂ′を下方に押圧して弾性変形させながら係止突起部を乗り越えるように右斜め下方に移動し、カム部２２３ｂが規制突起部３７ｂと当接する角度位置で係止突起部１１３ｂ′の周面右側と係合し、相互に自由な揺動（回動）を規制して互いをロック保持するようになっている。
【００６７】
このため、球抜き機構２０１においても、球抜き機構１０１と同様に、通常の遊技状態においては揺動通路壁１１０Ｒが待機通路部材４４の切り欠き部を塞いで待機通路４４ａ，４４ｂの通路壁を構成し、整列樋部材４２から供給された遊技球が待機通路４４ａ，４４ｂを通って球払出装置４５に導かれる。開閉弁部材１１０′はカム部との係合によりアーム部１１３が押さえられて自由な揺動が規制され、待機通路部材４４の切り欠き部を塞ぐ閉止位置に係止保持される（図１１中の二点鎖線を参照）。
【００６８】
一方、ハートキー１８０により操作連繋部材２２０が背面視時計廻りに回動されると、カム部２２３ｂの先端部が係止突起部１１３ｂ′を下方に押圧して弾性変形させながら係止突起部１１３ｂ′を乗り越えるように左斜め上方に移動し、やがて係止突起部１１３ｂ′と離れてアーム部１１３との係合が解除され、それまで規制されていた開閉弁部材１１０′の揺動規制が解除される。このため開閉弁部材１１０′が遊技球の圧力によって枢支軸３５を中心として反時計まわりに揺動され、揺動通路壁１１０Ｒが待機通路部材４４の切り欠き部を開放して球抜きが行われる。上端の角度規制位置では保持突起２２３ｃが保持孔３８ａに嵌入し、操作連繋部材２２０が当該角度位置に係止保持される。
【００６９】
従って、このような球抜き機構２０１においても、上述した球抜き機構１０１と同様に簡明且つコンパクトな機構構成で、遊技施設の係員が行う球抜き作業の作業性を悪化させることなく、遊技者の悪戯行為に対する抑止力を高めた球抜き装置を提供することができ、また遮蔽機構１０５を併設することにより、悪戯行為を早期に検知して迅速な対応が可能な球抜き装置を提供することができる。
【００７０】
なお、以上説明した実施形態では、遮蔽部材１５０を上下にスライド変位させることで前後の球抜き操作孔１３１，１３２を遮蔽位置と連通位置とに切り替える形態を例示したが、遮蔽部材の変移形態は上下方向のスライド変位に限るものではなく、例えば、球抜き操作孔に直交する面内での左右方向のスライド変位や上下方向の揺動変位、あるいは球抜き操作孔に直交する軸廻りの回動変位などであってもよい。
【００７１】
また、実施形態では、ハートキー１８０の回転駆動力を伝達して開閉弁部材１１０，１１０′を開閉操作する機構構成の一例として、カム形態の操作連繋部材１２０，２２０を用いた構成を例示したが、相互に噛合するギヤやリンク機構を用いてハートキーの回転駆動力を伝達し、開閉弁部材を開閉させる形態であってもよく、またこのような連繋部材を介することなくハートキーの回転駆動力を開閉弁部材に直接伝達して開閉弁部材を揺動開閉させる形態としてもよい。
【図面の簡単な説明】
【００７２】
【図１】本発明に係る球抜き装置を備えた弾球遊技機の一例として、ガラス扉および上球皿を開放した状態で示すパチンコ機の正面図である。
【図２】上記パチンコ機の背面図である。
【図３】球抜き装置における球抜き機構の要部を示す分解斜視図である。
【図４】閉止位置にある球抜き機構を主として示す右枠杆の背面図である。
【図５】開放位置にある球抜き機構を主として示す右枠杆の背面図である。
【図６】図４中のVI−VI矢視方向の側面図（部分断面図）である。
【図７】球抜き装置に設けられた遮蔽機構の分解斜視図である。
【図８】上記遮蔽機構をガラス扉を開放した状態で示す正面図である。
【図９】図８中のIX−IX矢視方向の平断面図である。
【図１０】上記遮蔽機構に設けられた位置検出構造を主として示す平断面図である。
【図１１】第２構成形態の球抜き機構を主として示す右枠杆の背面図である。
【符号の説明】
【００７３】
ＰＭ  パチンコ機
ＰＡ  遊技領域
１  外枠
２  前枠（２ａ  収容枠、２ｂ  ガイド突起）
３ａ，３ｂ  ヒンジ機構
４  施錠装置
５  ガラス扉
６  上球皿
７ａ，７ｂ，７ｃ  ヒンジ機構
８  下球皿
９  発射ハンドル
１０  遊技球発射装置
１１  発射レール
１２  ファール球回収通路
１３  スピーカ
１６  表示ランプ
２０  遊技盤
２１  化粧板
２２  案内レール
２３  入賞具
２４  画像表示装置
２５  アウト口
２６  表示ランプ
２９  球寄せカバー
３０  裏セット盤
３１  基枠体（３１ａ  支持面、３１ｂ  補助支持面）
３２  窓口
３３  右枠杆
３４  支持ボス
３５  枢支軸
３６ａ  軸受部
３６ｂ  受容切り欠き部
３６ｃ  ガイド溝
３７ａ，３７ｂ  規制突起部
３８ａ，３８ｂ  保持孔
４０  球貯留払出機構
４１  球貯留タンク
４２  整列樋部材
４４  待機通路部材（４４ａ，４４ｂ  待機通路、４４Ｌ，４４Ｒ  通路壁）
４５  球払出装置
４６  球払出通路
４９  蓋部材
８１  主制御装置
８２  球払出制御装置
８３  ランプ・音声制御装置
８４  電源ユニット
８５  外部中継端子基板
１００  球抜き装置
１０１  球抜き機構（第１構成形態）
１０５  遮蔽機構
１１０，１１０′  開閉弁部材（１１０Ｒ  揺動通路壁）
１１２  支軸孔
１１３  アーム部（１１３ｂ，１１３ｂ′  係止突起部）
１２０  操作連繋部材
１２２  回動伝達軸（１２２ａ  回動軸部、１２２ｂ  頭部、１２２ｓ  受容係合穴）
１２３  カム部材（１２３ａ  ボス部、１２３ｂ  カム部、１２３ｃ  ガイドピン）
１３０  球抜き操作孔
１３１  ガラス扉に形成された球抜き操作孔
１３２  前枠に形成された球抜き操作孔
１４０  球抜き通路（１４０ａ  予備通路、１４０ｂ  連絡開口）
１５０  遮蔽部材
１５１  昇降杆
１５２  ガイド孔
１５３  ピン挿通開口
１５４  掛止フック
１５５  押圧操作部
１５６  アーム支持部
１５７  レバーアーム
１５８  捻りバネ
１６０  付勢バネ
１６２  ネジ
１７０  位置検出構造
１７１  位置検出センサ
１７２  アーム係合突起
１８０  ハートキー
２０１  球抜き機構（第２構成形態）
２２０  操作連繋部材
２２３  カム部材（２２３ａ  ボス部、２２３ｂ  カム部、２２３ｃ  保持突起）
【図１】
2005279030.tif 000003
【図２】
2005279030.tif 000004
【図３】
2005279030.tif 000005
【図４】
2005279030.tif 000006
【図５】
2005279030.tif 000007
【図６】
2005279030.tif 000008
【図７】
2005279030.tif 000009
【図８】
2005279030.tif 000010
【図９】
2005279030.tif 000011
【図１０】
2005279030.tif 000012
【図１１】
2005279030.tif 000013